(57)【要約】【課題】キャップを容器本体の口部に螺着する際の操作性を阻害することなく、気密性を改善させた容器を提供すること。【解決手段】口部３のうち上端部１５の内径は、上端部１５に上端部１５の下方から連設された基部１６の内径よりも大きく、上端部１５の内周面と基部１６の内周面とは、段部１７を介して連結され、キャップ４が、口部３内に配設されたインナーリング部２３を有し、インナーリング部２３の下端部には、外径が下端から上方に向かうにしたがって漸次大きくなるテーパ部２６が形成されており、インナーリング部２３が、基部１６と段部１７との接続部分に密接している。【選択図】図２
2012232773.tif 000002
【特許請求の範囲】
【請求項１】
内容物を収容した容器本体と、前記容器本体の口部に着脱自在に螺着されて前記口部の上端開口を閉塞する有頂筒状のキャップと、を備え、
前記口部及び前記キャップのそれぞれに形成されると共に互いに螺合するネジ部が多条ネジとされた容器において、
前記口部のうち上端部の内径は、該上端部に該上端部の下方から連設された基部の内径よりも大きく、前記上端部の内周面と前記基部の内周面とは、段部を介して連結され、
前記キャップが、前記口部内に配設されたインナーリング部を有し、
前記インナーリング部の下端部には、外径が下端から上方に向かうにしたがって漸次大きくなるテーパ部が形成されており、
前記インナーリング部が、前記基部と前記段部との接続部分に密接していることを特徴とする容器。
【請求項２】
前記段部は、径方向外側から内側に向かうにしたがって漸次下方に向かって延びるテーパ状をなしていることを特徴とする請求項１に記載の容器。
【請求項３】
前記インナーリング部には、第１係合部が形成されており、
前記口部の上端部には、前記第１係合部と係合する第２係合部が形成されていることを特徴とする請求項１または２に記載の容器。
【発明の詳細な説明】
【技術分野】
【０００１】
本発明は、容器に関するものである。
【背景技術】
【０００２】
従来から、容器本体の口部にキャップを螺着する機構として、口部及びキャップのそれぞれに形成されると共に互いに螺合するネジ部が多条ネジとされた容器が提案されている（例えば、特許文献１参照）。
このような容器では、口部及びキャップそれぞれに形成されたネジ部が多条ネジとなっているので、キャップを容器本体に着脱する際に、キャップを容器本体に対して容器軸回りに１回転未満回転させるだけで着脱できる。そのため、着脱時の操作性を向上させることができる。
【先行技術文献】
【特許文献】
【０００３】
【特許文献１】特許第４２６２２３９号公報
【発明の概要】
【発明が解決しようとする課題】
【０００４】
しかしながら、このような容器では、容器本体の口部にキャップを螺着したときの気密性に対して改善の余地がある。
【０００５】
本発明は、前述の課題に鑑みてなされたもので、キャップを容器本体の口部に螺着する際の操作性を阻害することなく、気密性を改善させた容器を提供することを目的とする。
【課題を解決するための手段】
【０００６】
本発明は、上記のような課題を解決するために以下のような手段を採用した。すなわち、本発明の容器は、内容物を収容した容器本体と、前記容器本体の口部に着脱自在に螺着されて前記口部の上端開口を閉塞する有頂筒状のキャップと、を備え、前記口部及び前記キャップのそれぞれに形成されると共に互いに螺合するネジ部が多条ネジとされた容器において、前記口部のうち上端部の内径は、該上端部に該上端部の下方から連設された基部の内径よりも大きく、前記上端部の内周面と前記基部の内周面とは、段部を介して連結され、前記キャップが、前記口部内に配設されたインナーリング部を有し、前記インナーリング部の下端部には、外径が下端から上方に向かうにしたがって漸次大きくなるテーパ部が形成されており、前記インナーリング部が、前記基部と前記段部との接続部分に密接していることを特徴とする。
【０００７】
この発明では、インナーリング部が口部における基部と段部との接続部分に密接しているので、容器本体の気密性が向上する。また、口部のうち上端部の内径が基部の内径よりも大きく、キャップを容器本体の口部に螺着するときに、当初からインナーリング部が口部の内周面に強く当接することを抑制できる。また、インナーリング部の下端部にテーパ部が形成されていることによっても、この下端部が口部の内周面に強く当接することが抑制される。このため、この螺着時にキャップと容器本体との間に生ずる抵抗を抑制できる。したがって、キャップを容器本体の口部に螺着する際の操作性を阻害することなく、気密性を改善することができる。
【０００８】
また、本発明の容器では、前記段部の内周面が、内径が下端から上方に向かうにしたがって漸次大きくなるテーパ状をなしてもよい。
この場合では、段部がテーパ状をなすことにより、キャップを容器本体の口部に螺着するときに、インナーリング部のテーパ部が段部に引っ掛かることを抑制でき、このテーパ部を基部と段部との接続部分に確実に到達させることができる。
【０００９】
また、本発明の容器では、前記インナーリング部には、第１係合部が形成されており、前記口部の上端部には、前記第１係合部と係合する第２係合部が形成されてもよい。
この場合では、第１係合部と第２係合部とが係合することにより、容器本体に対してキャップを上方に引き上げる力がキャップに対してかかってもキャップが容器本体から離脱することを抑制できる。また、第１係合部と第２係合部とが係合及び係合解除する際に発生する音や衝撃により、キャップが容器本体に対して着脱されたことを認識させることができる。
【発明の効果】
【００１０】
この発明にかかる容器によれば、インナーリング部を基部と段部との接続部分に密接させることで容器本体の気密性を向上させると共に、キャップの螺着時に当初からインナーリング部が口部の内周面に強く当接することを抑制することで、螺着する際の操作性を阻害することを防止できる。
【図面の簡単な説明】
【００１１】
【図１】本発明の一実施形態における容器を示す軸方向断面図である。
【図２】図１の部分拡大図である。
【図３】図１のキャップを容器本体に螺着する動作を説明する軸方向断面図である。
【図４】同じく、キャップを容器本体に螺着する動作を説明する軸方向断面図である。
【図５】図４の部分拡大図である。
【図６】本発明を適用可能な他の容器を示す部分拡大図である。
【図７】本発明を適用可能なさらに他の容器を示す部分拡大図である。
【図８】図１から図５に示す容器の変形例を示す部分拡大図である。
【発明を実施するための形態】
【００１２】
以下、本発明における容器の一実施形態を、図面に基づいて説明する。なお、以下の説明に用いる各図面では、各部材を認識可能な大きさとするために縮尺を適宜変更している。
【００１３】
本実施形態における容器１は、図１に示すように、内容物を収容する有底円筒状の容器本体２と、容器本体２の口部３に着脱自在に螺着される有頂円筒状のキャップ４と、を備えている。
ここで、容器本体２及びキャップ４それぞれの中心軸は、共通軸上に位置している。以下、この共通軸を中心軸Ｏとし、中心軸Ｏに沿ってキャップ４側を上側、容器本体２側を下側と称し、中心軸Ｏに直交する方向を径方向、中心軸Ｏ回りの方向を周方向と称する。
【００１４】
容器本体２は、有底円筒状の胴部１１と、胴部１１の上端に上方に向けて突設された円筒状の口部３と、胴部１１を径方向外側から囲繞する円筒状の被覆筒部１２と、を備えている。
口部３の外周面には、図１及び図２に示すように、多条ネジである雄ネジ部（ネジ部）１３が形成されている。雄ネジ部１３は、径方向外方に向けて突設された複数の第１突条部１４を有している。これら第１突条部１４は、周方向に間隔をあけて配設されており、上方から下方に向かうにしたがって漸次周方向の一方側に向けて延在している。なお、本実施形態では、上記一方側は、容器本体２を上方から見た平面視で時計回り方向となっている。
また、口部３の上端部１５の内径は、この上端部１５に対して上端部１５の下方から連設された基部１６の内径よりも大きく、上端部１５の内周面と基部１６の内周面とは、段部１７を介して接続されている。上記雄ネジ部１３は、基部１６の外周面に形成されている。
【００１５】
上端部１５の内周面には、径方向外方に向けて陥没する係合溝部（第２係合部）１８が全周にわたって形成されている。
段部１７の内周面は、径方向外側から内側に向かうにしたがって漸次下方に向かって延びるテーパ状をなしている。また、段部１７は、雄ネジ部１３より上方に位置している。
被覆筒部１２の上端部は、平面視で円環板状の接続壁部１９を介して胴部１１と口部３との接続部分に連設されており、被覆筒部１２の下端は、胴部１１の底面よりも下方に突出している。
【００１６】
キャップ４は、平面視で円板状の天壁部２１と、天壁部２１の外周縁から下方に向けて突設された円筒状の周壁部２２と、周壁部２２よりも径方向内側に配設された円筒状のインナーリング部２３と、を備える。
天壁部２１の外周縁部は、中央部分よりも上方に向けて突出している。
周壁部２２の内周面には、口部３の雄ネジ部１３に螺合する多条ネジである雌ネジ部（ネジ部）２４が形成されている。雌ネジ部２４は、雄ネジ部１３と同様に、径方向内方に向けて突設された複数の第２突条部２５を有している。これら第２突条部２５は、周方向に間隔をあけて配設されており、上方から下方に向かうにしたがって漸次周方向の上記一方側に向けて延在している。
【００１７】
インナーリング部２３は、口部３の上端部１５内に挿入されている。また、インナーリング部２３の下端部には、外径が下端から上方に向かうにしたがって漸次大きくなるテーパ部２６が形成されている。テーパ部２６の中心軸Ｏに対する傾斜角は、段部１７の中心軸Ｏに対する傾斜角よりも小さくなっている。
そして、インナーリング部２３は、基部１６の上端部及び段部１７に圧接されており、その外周面形状が基部１６の上端部の内周面及び段部１７に倣って圧縮変形されている。本実施形態では、インナーリング部２３のうちテーパ部２６が基部１６の上端部及び段部１７に圧接されている。なお、インナーリング部２３の外径は、上端部１５の内径以下、好ましくは上端部１５の内径未満となっている。
また、インナーリング部２３においてテーパ部２６よりも上方に位置する部分には、上端部１５に形成された係合溝部１８と係合する複数の係合突出部（第１係合部）２７が周方向に間隔をあけて径方向外方に向けて突設されている。
【００１８】
次に、以上のような構成の容器１において容器本体２に対するキャップ４の着脱方法について説明する。
容器本体２の口部３にキャップ４を螺着する場合には、まず、図３に示すように、容器本体２の口部３の上端部を径方向外側から囲繞するようにキャップ４を配置し、図３の矢印Ａに示すように、天壁部２１の中央部分を下方に押し込む。すると、キャップ４は、周壁部２２の雌ネジ部２４を形成する第２突条部２５の下面が口部３の雄ネジ部１３を形成する第１突条部１４の上面に沿って案内されながら、容器本体２に対して中心軸Ｏ回り（本実施形態では容器本体２を上方から見た平面視で時計回り）に回転しつつ下方に移動する。このとき、インナーリング部２３の係合突出部２７は、図４及び図５に示すように、口部３の上端部１５の上端縁上に位置している。
ここで、インナーリング部２３の外径が上端部１５の内径以下、好ましくは上端部１５の内径未満となっているので、両者間に生ずる摩擦力が抑えられ、キャップ４は、過大な力をかけることなく容器本体２に対して中心軸Ｏ回りに回転しつつ下方に移動する。
【００１９】
この状態でキャップ４の天壁部２１をさらに下方に押し込むと、インナーリング部２３の係合突出部２７は、上端部１５の内周面に沿って摺動し、上端部１５の係合溝部１８と係合する。これにより、容器本体２に対して上方に引き上げるような力がキャップ４に対して不意にかけられた場合であっても、容器本体２からキャップ４が離脱しにくくなる。また、インナーリング部２３の外周面は、少なくとも基部１６と段部１７との接続部分の内周面に圧接される。これにより、容器本体２内の気密性が確保される。このとき、段部１７がテーパ状をなしていると共に、中心軸Ｏに対するテーパ部２６の内周面の傾斜角が段部１７の内周面の傾斜角よりも小さいので、テーパ部２６が段部１７に引っ掛かることが抑制される。
また、容器本体２内の空気は、周方向で隣り合う２つの係合突出部２７間の間欠部分と上端部１５の内周面との間の空隙を通って容器１の外部に逃がされる。
以上のようにして、キャップ４を容器本体２に螺着する。
【００２０】
容器本体２からキャップ４を取り外す場合には、キャップ４を容器本体２に対して中心軸Ｏ回り（本実施形態では容器本体２を上方から見た平面視で反時計回り）に回転させる。すると、キャップ４は、周壁部２２の雌ネジ部２４が口部３の雄ネジ部１３に沿って案内されながら、容器本体２に対して上方に移動する。このとき、インナーリング部２３の係合突出部２７と上端部１５の係合溝部１８との係合が解除される。そして、キャップ４を容器本体２に対してさらに回転させて、周壁部２２の雌ネジ部２４と口部３の雄ネジ部１３との係合を解除する。
以上のようにして、キャップ４を容器本体２から取り外す。
【００２１】
以上のような構成の容器１によれば、インナーリング部２３を基部１６と段部１７との接続部分に圧接させることによって、容器本体２の気密性が向上する。ここで、キャップ４を螺着する際に当初からインナーリング部２３が口部３の内周面に強く当接することを抑制することによって、螺着する際の操作性を阻害せずに容器本体２の気密性を向上させることができる。また、段部１７がテーパ状をなしており、テーパ部２６が段部１７に引っ掛かることが抑制されるので、テーパ部２６を基部１６と段部１７との接続部分に確実に到達させることができる。
さらに、キャップ４を容器本体２の口部３に螺着したときにインナーリング部２３の係合突出部２７と上端部１５の係合溝部１８とが係合するので、容器本体２に対して不意な外力がキャップ４に対してかかっても、容器本体２からキャップ４が離脱することを防止できると共に、係合突出部２７と係合溝部１８とが係合する際及び係合解除する際に発生する音や衝撃によって聴覚や触覚で着脱が容易に識別できる。
【００２２】
なお、本発明は上記実施形態に限定されるものではなく、本発明の趣旨を逸脱しない範囲において種々の変更を加えることができる。
例えば、係合突出部は、インナーリング部から周方向に間隔をあけて突設されているが、例えば図６に示すように、インナーリング部２３’の全周にわたって突設された係合突出部２７’であってもよい。この場合、口部３’の上端部１５’の内周面には、径方向外方に向けて陥没する溝部１５Ａ’が上下方向に延在するように形成されていることが好ましい。この溝部１５Ａ’は、上端において上方に向けて開口している。これにより、キャップ４’を容器本体２’に螺着する際に容器本体２’内の空気をこの溝部１５Ａ’を通じて容器１’の外部に逃がすことができる。
【００２３】
また、インナーリング部に形成された係合突出部と口部の上端部に形成された係合溝部とを係合させているが、例えば図７に示すような構成の容器１”など、他の構成を採用してもよい。キャップ４”は、インナーリング部２３”よりも径方向外側に配設される円筒状の係合筒部２８を有しており、この係合筒部２８の下端部の内周面には、径方向内方に向けて陥没する係合溝部２７”が形成されている。また、容器本体２”における口部３”の上端部１５”には、係合溝部２７”と係合する係合突出部１８”が径方向外方に向けて突設されている。これにより、インナーリング部２３”が基部１６の上端部及び段部１７に圧接されることによってインナーリング部２３”の下端部が径方向内側に湾曲しても、係合溝部２７”と係合突出部１８”との間の係合が解除されやすくなることを防止できる。
【００２４】
また、インナーリング部のうちテーパ部の内周面を基部と段部との接続部分に圧接しているが、例えば図８に示すように、インナーリング部２３のうちテーパ部２６よりも上方に位置する部分の内周面を基部１６と段部１７との接続部分に圧接した構成の容器１Ａとしてもよい。
インナーリング部は、基部と段部との接続部分に密接されて容器本体の気密性を向上していれば、圧接されていなくてもよい。
【００２５】
第１係合部及び第２係合部は、係合突出部及び係合溝部に限らず、他の形状であってもよく、形成されなくてもよい。
段部の形状は、テーパ状に限らず、上方を向く平面状など他の形状であってもよい。
係合突出部は、インナーリング部において周方向で間欠的に形成されているが、容器本体の口部にキャップを螺着できれば、インナーリング部の全周にわたって形成されてもよい。
キャップの天壁部の中央部分を押し下げることによってキャップを容器本体の口部に螺着しているが、キャップを容器本体に対して回転させることによってキャップを容器本体の口部に螺着するなど、他の螺着方法であってもよい。
【産業上の利用可能性】
【００２６】
この発明によれば、キャップを容器本体の口部に螺着する際の操作性を阻害することなく、気密性を改善させた容器に関して、産業上の利用可能性が認められる。
【符号の説明】
【００２７】
１，１’，１”，１Ａ  容器、２，２’，２”  容器本体、３，３’，３”  口部、４，４’，４”  キャップ、１３  雄ネジ部（ネジ部）、１５，１５’，１５”  上端部、１６  基部、１７  段部、１８  係合溝部（第２係合部）、１８”  係合突出部（第２係合部）、２２  周壁部、２３，２３’，２３”  インナーリング部、２４  雌ネジ部（ネジ部）、２６  テーパ部、２７  係合突出部（第１係合部）、２７”  係合溝部（第２係合部）
【図１】
2012232773.tif 000003
【図２】
2012232773.tif 000004
【図３】
2012232773.tif 000005
【図４】
2012232773.tif 000006
【図５】
2012232773.tif 000007
【図６】
2012232773.tif 000008
【図７】
2012232773.tif 000009
【図８】
2012232773.tif 000010